(57)【要約】【課題】  ジッタ検出を行うことのできる改良したジッタ検出装置を提供する。【解決手段】  ジッタ検出装置は、信号を受信する受信回路１と、受信した信号のうちのジッタ検出に使用する信号部分を、信号振幅に基づいて判定する判定回路３と、この判定した信号部分に基づいて信号に関するジッタを検出するジッタ検出回路５と、を備える。判定回路３は、第１のしきい値を発生する第１しきい値設定回路と、第２のしきい値を発生する第２しきい値設定回路と、これら第１と第２のしきい値を使用して、期間信号を発生する期間信号発生回路と、を含み、ジッタ検出回路５は、受信信号に対し上記期間信号にしたがって応答することにより、信号部分を検出する信号部分検出回路を含む。【選択図】図１
2008008811.tif 000002
【特許請求の範囲】
【請求項１】
信号を受信するステップと、
受信した前記信号のうちのジッタ検出に使用する信号部分を、信号振幅に基づいて判定する判定ステップと、
該判定した前記信号部分に基づいて前記信号におけるジッタを検出するジッタ検出ステップと、
を含むジッタ検出方法。
【請求項２】
請求項１記載の方法において、
前記判定ステップは、
第１と第２のしきい値を定めるステップと、
前記第１と第２のしきい値を使用して、期間信号を発生するステップと、
を含み、
前記ジッタ検出ステップは、
前記受信信号に対し前記期間信号にしたがって応答することにより、前記信号部分を検出するステップ、
を含む、ジッタ検出方法。
【請求項３】
請求項２記載の方法において、
前記期間信号を発生するステップは、
前記受信信号を前記第１しきい値で二値化して第１二値化信号を発生するステップと、
前記受信信号を前記第２しきい値で二値化して第２二値化信号を発生するステップと、
前記第１二値化信号と前記第２二値化信号からマスク信号を発生する処理ステップであって、該マスク信号は、前記受信信号のうちの前記信号部分である第１信号部分以外の第２信号部分が存在する期間を表す、前記の処理ステップと、
を含み、
前記信号部分を検出するステップは、
前記マスク信号を使用して、前記受信信号から前記第１信号部分を抽出する抽出ステップ、
を含む、ジッタ検出方法。
【請求項４】
請求項３記載の方法において、
前記受信信号は、正と負の最大振幅値を有し、また該最大振幅値より小さい第１振幅値以下の振幅を有する信号成分を含み、
前記第１しきい値は、前記正の最大振幅値と正の前記第１振幅値との間の値を有し、
前記第２しきい値は、前記負の最大振幅値と負の前記第１振幅値との間の値を有する、
ジッタ検出方法。
【請求項５】
請求項４記載の方法において、
前記処理ステップは、
前記受信信号が前記第１および第２のしきい値のうちの一方のしきい値を、第１極性方向に交差するという第１の状態が発生したか否かを、前記第１および第２の二値化信号のうちの関連する一方の二値化信号に基づいて判定するステップと、
前記第１状態が発生したとき、該第１状態が発生した第１時点から所定の時間内に、前記受信信号が他方のしきい値を前記第１極性方向に交差するという第２の状態が発生したか否かを、他方の二値化信号に基づいて判定するステップと、
前記所定時間内に前記第２状態が発生しなかったとき、前記マスク信号を開始させるステップと、
別の前記第１状態が発生し、かつ該第１状態が発生した第３時点から前記所定時間内に別の前記第２状態が発生する、という第３状態が発生したか否かを判定するステップと、
前記第３状態が発生したとき、前記マスク信号を前記第３時点で終了させるステップと、
を含む、ジッタ検出方法。
【請求項６】
請求項５記載の方法において、
前記処理ステップは、
一旦前記マスク信号を開始させた後は、該マスク信号を終了させるまでは、別のマスク信号の発生を阻止するステップ、
を含む、ジッタ検出方法。
【請求項７】
請求項１から６のいずれかに記載のジッタ検出方法を使用してジッタを測定するジッタ測定方法。
【請求項８】
信号を受信する受信回路と、
受信した前記信号のうちのジッタ検出に使用する信号部分を、信号振幅に基づいて判定する判定回路と、
該判定した前記信号部分に基づいて前記信号に関するジッタを検出するジッタ検出回路と、
を備えたジッタ検出装置。
【請求項９】
請求項８記載の装置において、
前記判定回路は、
第１のしきい値を発生する第１しきい値設定回路と、
第２のしきい値を発生する第２しきい値設定回路と、
前記第１と第２のしきい値を使用して、期間信号を発生する期間信号発生回路と、
を含み、
前記ジッタ検出回路は、
前記受信信号に対し前記期間信号にしたがって応答することにより、前記信号部分を検出する信号部分検出回路、
を含む、ジッタ検出装置。
【請求項１０】
請求項９記載の装置において、
前記期間信号発生回路は、
前記受信信号を、前記第１しきい値で二値化して第１二値化信号を発生する第１二値化回路と、
前記受信信号を、前記第２しきい値で二値化して第２二値化信号を発生する第２二値化回路と、
前記第１二値化信号と前記第２二値化信号からマスク信号を発生する処理回路であって、該マスク信号は、前記受信信号のうちの前記信号部分である第１信号部分以外の第２信号部分が存在する期間を表す、前記の処理回路と、
を含み、
前記信号部分検出回路は、
前記マスク信号を使用して、前記受信信号から前記第１信号部分を抽出する抽出回路、
を含む、
ジッタ検出装置。
【請求項１１】
請求項１０記載の装置において、
前記受信信号は、正と負の最大振幅値を有し、また該最大振幅値より小さい第１振幅値以下の振幅を有する信号成分を含み、
前記第１しきい値は、前記正の最大振幅値と正の前記第１振幅値との間の値を有し、
前記第２しきい値は、前記負の最大振幅値と負の前記第１振幅値との間の値を有する、
ジッタ検出装置。
【請求項１２】
請求項１１記載の装置において、
前記処理回路は、
前記第１二値化信号を所定時間だけ遅延させた第１遅延二値化信号を発生する第１遅延回路と、
前記第２二値化信号を前記所定時間だけ遅延させた第２遅延二値化信号を発生する第２遅延回路と、
前記第１および第２の二値化信号と、前記第１および第２の遅延二値化信号とを受けるように接続されており、第１と第２のマスク信号を発生する第１論理回路であって、
ａ．前記受信信号が前記第１および第２のしきい値のうちの一方のしきい値を、第１極性方向に交差するという第１の状態が発生したか否かを、前記第１および第２の二値化信号のうちの関連する一方の二値化信号に基づいて判定し、
ｂ．前記第１状態が発生したとき、該第１状態が発生した第１時点から前記所定時間内に、前記受信信号が他方のしきい値を前記第１極性方向に交差するという第２の状態が発生したか否かを、他方の二値化信号と前記第１および第２の遅延二値化信号のうちの関連する一方の遅延二値化信号とに基づいて判定し、
ｃ．前記所定時間内に前記第２状態が発生しなかったとき、前記第１および第２のマスク信号のうちの関連する一方のマスク信号を開始させ、
ｄ．別の前記第１状態が発生し、かつ該第１状態が発生した第３時点から前記所定時間内に別の前記第２状態が発生する、という第３状態が発生したか否かを判定し、
ｅ．前記第３状態が発生したとき、前記一方のマスク信号を前記第３時点で終了させる
よう動作する前記の第１論理回路と、
前記第１および第２のマスク信号から前記マスク信号を発生する第２論理回路と、
を含む、ジッタ検出装置。
【請求項１３】
請求項１２記載の装置において、
前記第１論理回路は、
前記第１遅延二値化信号と、前記第２二値化信号と、前記第２マスク信号とを受け、前記第１マスク信号を発生する第１マスク信号発生論理回路と、
前記第２遅延二値化信号と、前記第１二値化信号と、前記第１マスク信号とを受け、前記第２マスク信号を発生する第２マスク信号発生論理回路と、
を含み、
前記第１論理回路は、一旦前記一方のマスク信号を開始させた後は、該一方のマスク信号を終了させるまでは、他方のマスク信号の発生を阻止する、
ジッタ検出装置。
【請求項１４】
請求項１０記載の装置において、
前記ジッタ検出回路は、さらに、
前記受信信号を第３のしきい値と比較して二値化することにより第３の二値化信号を発生する第３二値化回路であって、前記抽出回路が、前記第３二値化信号から前記第１信号部分を抽出する、前記の第３二値化回路と、
前記抽出回路が前記第３二値化信号から抽出した前記第１信号部分を使用して、前記受信信号のジッタを判定するジッタ判定回路と、
を含む、ジッタ検出回路
【請求項１５】
請求項１４記載の装置において、
前記抽出回路は、
前記マスク信号が存在する期間中、前記第３二値化信号の大きさを変化させることにより前記第１信号部分を発生する回路を含む、
ジッタ検出装置。
【請求項１６】
請求項１０記載の装置において、
前記第２信号部分は、前記受信信号における最短の周期成分を少なくとも含む、ジッタ検出装置。
【請求項１７】
請求項８記載の装置において、
前記信号は、情報記録媒体からの信号である、ジッタ検出装置。
【請求項１８】
請求項８から１７のいずれかに記載のジッタ検出装置を備えた電子装置。
【発明の詳細な説明】
【技術分野】
【０００１】
本発明は、信号におけるジッタを検出する方法および装置に関するものである。
【背景技術】
【０００２】
従来、ＣＤやＤＶＤのような光ディスクに記録されたデータの読出しは、光ディスクからの再生信号を二値化し、この二値化して得たデジタル信号における各マークまたはスペースの長さを検出することにより行っている（特許文献１）。このデータ読出しのための二値化は、例えば図１（ｂ）に示す従来のＤＶＤからの再生信号については、スライスレベルとして通常は再生信号のピークピークの中間値を使用している。また、このようにして検出される光ディスクからのデジタル信号におけるジッタの検出も、データ検出と同じスライスレベルを使用して行っている。すなわち、再生信号のピークピークの中間値であるスライスレベルを使って例えばＤＶＤからの再生信号を二値化し、二値化した後のデジタル信号における各マーク／スペースの長さを検出し、この長さにおける変動を調べることによってジッタを測定している。例えば、ＤＶＤの場合、３Ｔから１１Ｔと１４Ｔの周期をもつマーク／スペースが存在する。ここで、Ｔは、ＤＶＤに使用されるクロックの１周期に等しい。このようにして、光ディスクからの信号におけるジッタを測定することにより、光ディスク自体の品質をチェックしたり、光ピックアップにおける光ビームの光軸を調整していた。
【特許文献１】特開２００４−２９５９６５号公報
【発明の開示】
【０００３】
最近、光ディスクとして、ＨＤ（High-Definition）ＤＶＤのような新たな光ディスク規格が出現してきている。このような光ディスクでは、従来のＤＶＤと比べ記録密度がより一層高くなっている。例えば、ＨＤ  ＤＶＤでは、ＥＴＭ符号（Eight to Twelve Modulation Code）を使用し、そしてこれからの再生信号は、図１（ａ）に示すような波形である。図１（ｂ）の従来のＥＦＭ符号を用いたＤＶＤからの再生信号と比較すると分かるように、信号振幅のより小さい成分がいくつか存在し、最も振幅が小さい成分は、スライスレベルの近傍にピークを有している。これは、記録密度が高くなると符号間干渉により信号振幅が低下し、更に線密度が高くなると、信号振幅が低下するからである。例えば、最短の２Ｔのマークまたはスペースの長さでは、信号振幅のピークｐは、スライスレベル近傍となってしまう。このような再生信号を生ずる光ディスクからデータを読み出す場合、従来と同じスライスレベルを使用した二値化手法では、スライスレベル近傍では少しの雑音でも多くの識別誤りが発生するため、安定したデータ検出が困難である。したがって、ＨＤ  ＤＶＤ規格では、データ読出し法として、ＰＲＭＬ（パーシャルレスポンス・最尤（Partial Response and Maximum Likelihood））信号処理手法を使用することが定められている。これに伴い、再生信号評価方法も、ジッタではなく、規格で定められているSbER(Simulated bit Error Rate)とPRSNR（Partial Response Signal to Noise）で評価することとなっている。
しかし、このようなSbERとPRSNRで評価する手法では、ジッタ測定と比べ多くのサンプル数が必要となるため、従来のスライスレベルを使用する方法とくらべ、リアルタイム性が低い。このため、光ディスク関連製品の生産現場では、光ピックアップの光軸調整ステップなどの調整作業が必要であるが、このような調整作業において、細かな各調整毎にSbER又はPRSNRでの評価にある一定のサンプル数が必要なため、調整に時間がかかってしまうという問題がある。また、これにより、製品全体としての生産効率が低くなるという問題も発生する。
【０００４】
したがって、本発明の目的は、改良したジッタ検出の方法および装置を提供することである。
また、本発明の別の目的は、上記のジッタ検出の方法を用いたジッタ測定方法、またはジッタ検出装置を用いた電子装置を提供することである。
【０００５】
本発明のその他の目的は、以下の本発明の実施形態の詳細な説明から明らかとなる。
【０００６】
本発明の１実施形態によれば、ジッタ検出方法は、信号を受信するステップと、受信した前記信号のうちのジッタ検出に使用する信号部分を、信号振幅に基づいて判定する判定ステップと、該判定した前記信号部分に基づいて前記信号におけるジッタを検出するジッタ検出ステップと、を備える。
【０００７】
また、本発明の１実施形態によれば、ジッタ検出装置は、信号を受信する受信回路と、受信した前記信号のうちのジッタ検出に使用する信号部分を、信号振幅に基づいて判定する判定回路と、該判定した前記信号部分に基づいて前記信号に関するジッタを検出するジッタ検出回路と、を備える。
【０００８】
本発明の１実施形態によれば、HD  DVDのような高密度な光ディスクからの再生信号からでも、実用上十分な速度および正確さでジッタ検出を行うことができる。また、本発明の１実施形態によれば、簡単な構成でジッタ検出を行うことができる。さらに、本発明の１実施形態によれば、HD  DVDのような光ディスク関連製品の生産現場において必要な、ジッタに関連する調整作業をより迅速化することができる。
【発明を実施するための最良の形態】
【０００９】
次に、本発明の実施形態について、図面を参照して詳細に説明する。
図２は、本発明の１実施形態によるジッタ検出装置の構成を示すブロック図である。図示のように、このジッタ検出装置は、受信回路１と、信号部分判定回路３と、ジッタ検出回路５とを備えている。詳細には、受信回路１は、光ディスクのような情報記録媒体あるいは通信回線やネットワークのような通信媒体からの信号を入力端子に受け、そして受信信号に対し必要な処理（例えば、自動利得制御（ＡＧＣ）や等化処理など）を行った後に出力端子に出力する。信号部分判定回路３は、受信回路１の出力から供給される受信信号を受ける入力を有しており、そしてこの受信信号のうちのジッタ検出に使用する信号部分を、信号振幅に基づいて判定し、その判定結果を出力に発生する。ジッタ検出回路５は、受信回路１の出力から供給される受信信号を受ける入力と、信号部分判定回路３の出力から供給される判定結果とを受ける入力とを備えている。この結果、ジッタ検出回路５は、判定された信号部分に基づいて受信信号に関するジッタを検出する。
【００１０】
より詳細には、信号部分判定回路３は、第１のしきい値である上側しきい値ＴＨＵを発生する上側しきい値設定回路と、第２のしきい値である下側しきい値ＴＨＬを発生する下側しきい値設定回路と、これら上側と下側のしきい値を使用して期間信号を発生する期間信号発生回路とで構成することができる。このとき、ジッタ検出回路５は、受信信号に対し上記期間信号にしたがって応答することにより信号部分を検出する信号部分検出回路を含むように構成することができる。
【００１１】
ここで、図３を参照して、それら上側しきい値ＴＨＵと下側しきい値ＴＨＬとについて説明する。例えば、受信信号がHD  DVDからの再生信号であると仮定すると、再生信号は、例えば図３に示すような波形となる。このとき、再生信号のピークピークの中間値をゼロレベルとすると、再生信号は、正または負のピークを有する信号成分ｃ１〜ｃ１３を含んでいる。ここで、図示した波形例では、最大の正または負のピークを有する成分は、ｃ１，ｃ２，ｃ５，ｃ１３であり、そして次に低いピークを有する成分はｃ８であり、さらに低いピークを有する成分はｃ４，ｃ１１であり、そして最小のピークを有する成分はｃ３，ｃ６，ｃ７，ｃ９，ｃ１０，ｃ１２である。
【００１２】
このような場合、図示のゼロレベルをスライスレベルとして二値化すると仮定すると、最小のピークを有する成分はｃ３，ｃ６，ｃ７，ｃ９，ｃ１０，ｃ１２で識別誤りが発生する確率が極めて高くなる。さらには、これら最小ピーク成分に隣接する成分の識別誤りの確率も高くなってしまう。例えば、成分ｃ３について考えると、成分ｃ３で発生するマーク／スペース長の識別誤りは、隣接する成分Ｃ２およびＣ４におけるデータ長にも影響を直接与えるため、その識別誤りの確率も高くなってしまう。したがって、本発明の１実施形態のジッタ検出装置では、マーク／スペース長の識別誤りの発生確率が高くない信号部分のみに基づいて信号のジッタ検出を行うようにする。このため、識別誤りの発生確率の高い部分とそうでない部分の識別を信号振幅に基づいて行う。一例として、ゼロレベルに対して上記の上側しきい値ＴＨＵと下側しきい値ＴＨＬとを定めて識別誤りの発生確率の高くない信号部分を判定し、そして従来のジッタ検出法と同様にゼロレベルをスライスレベルとして二値化してジッタ検出する手法を採用する。これにより、従来のジッタ検出手法と同様の高速性が実現できる。
【００１３】
ここで、上側しきい値ＴＨＵと下側しきい値ＴＨＬの設定の仕方についてより詳細に説明する。例えば、これらしきい値を図示の点線の位置に設定したとすると、この場合、最小ピークの成分ｃ３，ｃ６，ｃ７，ｃ９，ｃ１０，ｃ１２と、これ以外の成分とを識別することができる。また、仮に上側しきい値ＴＨＵを一点鎖線に示す位置ＴＨＵ’およびＴＨＬ’に設定したとすると、最小ピーク成分と次に低いピークをもつ成分ｃ４，ｃ１１とを含む信号部分とそれ以外の部分とを識別することができる。HD  DVDからの再生信号の例で説明すると、２Ｔの最短マーク／スペース長の成分のみを判定対象から除外する場合には、それらしきい値は２Ｔ成分のピークより大きいが次に長い３Ｔ成分のピークより小さいレベル、例えばＴＨＵおよびＴＨＬのようなレベルに設定する。また、２Ｔだけでなく３Ｔあるいはそれより長い周期例えば５Ｔの成分を除外したいときには、しきい値は、５Ｔのピークよりも大きいが６Ｔ成分のピークより小さいレベル、例えばＴＨＵ’およびＴＨＬ’のようなレベルに設定すればよい。このように、上側しきい値および下側しきい値の大きさは、判定対象から除外したい周期成分に応じて、予めある値に設定したり、あるいは連続的に可変としたりすることができる。
【００１４】
次に、図４および図５を参照して、ジッタ検出に使用する信号部分の判定手法の原理について、HD  DVD再生信号を例にして説明する。尚、この例では、２Ｔの最短信号成分の除外を目的としてしきい値を設定している。これら図においては、一番上に符号化信号（光ディスクに記録されているデータ）、その下のその光ディスクからの再生信号の波形、さらには判定に使用するしきい値に関連する信号の波形を示している。先ず、図４の（ａ）は、再生信号が、スライスレベルを正側からクリアに交差する“クリア交差”の例を示し、（ｂ−１）と（ｃ−１）とは、スライスレベルを正側から非クリアに交差する“非クリア交差”の例を示している。また、負側からスライスレベルを交差する例については、非クリア交差の場合について図４の（ｂ−２）と（ｃ−２）に示している。尚、「クリアに交差する」あるいは「クリア交差」とは、上述の識別誤りの発生確率が高くない状態での交差、そして「非クリアに交差する」あるいは「非クリア交差」とは、識別誤りの発生確率が高い状態での交差を示すものとして使用する。
【００１５】
最初に図４（ａ）を参照すると、２Ｔより長い周期の成分が連続する場合、例えば正側から負側へとスライスレベルをｔ２時点でクリアに交差し、クリア交差点ｃｒ１が発生する。この場合、スライスレベルを交差する位置の識別誤りの発生確率は低い。ここで、“上側しきい値交差”信号は、再生信号がゼロレベルからより正側へと変化するときに上側しきい値ＴＨＵを交差するとき立ち上がり、そして正側からゼロレベル側へと変化してそのしきい値を交差するとき立ち下がるとする。一方、“下側しきい値交差”信号は、再生信号がゼロレベルからより負側へと変化するときに下側しきい値ＴＨＬを交差するとき立ち上がり、そして負側からゼロレベル側へと変化してそのしきい値を交差するとき立ち下がるとする。また、“上側マスク”信号は、識別誤り発生確率が高い信号部分を除外するための信号であって、主として上側しきい値を基準に発生させる信号であり、一方、“下側マスク”信号は、同じく識別誤り発生確率が高い信号部分を除外するための信号であって、主として下側しきい値を基準に発生させる信号である。この図４(ａ)のクリア交差の場合、再生信号が上側しきい値を交差したｔ１時点からある一定の時間例えば２Ｔの時間内のｔ３時点で、反対側の下側しきい値を交差する。この場合、識別誤り発生確率は高くないため、上側および下側のマスクのいずれも発生させる必要がないためローに留まる。
【００１６】
一方、図４（ｂ−１）に示すように、２Ｔより長い周期成分の後に１つの２Ｔ成分が続く場合、再生信号は、正側から上側しきい値を通過するが、スライスレベルを交差した後その近傍で折り返して下側しきい値に達することなく正側に戻る、という非クリア交差が発生する。すなわち、非クリア交差点ｃｒ２、ｃｒ３が連続する。この場合、スライスレベルに正側から入りそして正側へと出ていくため、“復帰型”の非クリア交差と呼ぶ。このとき、上側しきい値交差信号がローになった時点から２Ｔの時間内に下側しきい値交差信号がハイにならない。この場合、識別誤り発生確率が高い部分が発生しており、しかもスライスレベルに対し上側から進入する場合なので、上側マスク信号がハイに立ち上がってマスク信号を開始させる。このように、上記２Ｔの時間内に下側しきい値交差信号がハイになるかならないかで、（ａ）のクリア交差と（ｂ−１）の非クリア交差の区別ができる。尚、図４（ｂ−１）は、１つの２Ｔ成分の場合について示したが、２Ｔ成分が奇数個連続するその他の場合にも当てはまる。
【００１７】
これに対し、図４の（ｃ−１）に示すように、２Ｔより長い周期成分の後に２つの２Ｔ成分が続く場合、再生信号は、正側から上側しきい値を通過し、そしてスライスレベル近傍で変化してスライスレベル交差を繰り返した後に下側しきい値を通過する、という非クリア交差が発生する。すなわち、非クリア交差点ｃｒ４，ｃｒ５，ｃｒ６，ｃｒ７が連続する。この場合、スライスレベルに正側から入りそして負側へと出ていくため、“非復帰型”の非クリア交差と呼ぶ。このとき、上側しきい値交差信号がローになった時点からから２Ｔの時間内に下側しきい値交差信号がハイにならず、その２Ｔ時間の経過後にハイになる。この場合も識別誤り発生確率が高い部分が発生しており、しかもスライスレベルに対し上側から進入する場合なので、上側マスク信号がハイに立ち上がってマスク信号を開始させる。このように、上記２Ｔの時間内に下側しきい値交差信号がハイになるかならないかで、（ａ）のクリア交差と（ｃ−１）の非クリア交差の区別ができる。
【００１８】
図４（ｂ−１）と（ｃ−１）の場合、一旦開始させたマスク信号は、次に図４（ａ）に示すようなクリア交差が発生するまで存続させ、そしてスライスレベルを交差する直前、例えば上側しきい値を交差する時点（図４（ａ）のｔ１）で終了させる。これにより、最短周期成分に発生する識別誤りにより影響を受ける周期成分を全て、ジッタ判定対象から除外することができる。具体的に説明すると、図４（ｃ−１）の場合、２個の２Ｔ周期成分に後に２Ｔより長い周期成分ｃｘが続くため、この周期成分ｃｘでｔ５時にクリア交差点ｃｒ８が発生している。しかし、ここでのクリア交差は、負側から正側へのものであり、マスク発生開始直前の再生信号の極性とは逆極性になるため、ｔ５の直前のｔ４時に上側マスクを終了させると、マスクした結果の再生信号がｔ４時点の直後に状態変化を起こしてしまうので、マスクに起因したスライスレベル交差が発生する。このようなマスクに起因したスライスレベル交差は、ジッタ検出にとって発生させるべきではない。したがって、マスクは、図４（ｃ−１）においては、同一極性側すなわち正側のしきい値交差時点、例えばｔ６時あるいはｔ７時に終了させる。ただし、ｔ７の直後に図４（ａ）に示すようなクリア交差が発生することが条件である。尚、図４（ｃ−１）では、２Ｔ成分が２個続く場合について示したが、２個以外の偶数個連続する場合も同様に当てはまる。
【００１９】
次に、図５の（ｄ）は、非復帰型の非クリア交差が連続する場合、すなわち２Ｔ成分が２個連続した後に２Ｔより長い成分が１つ続き、その後に再び２Ｔ成分が２個連続する場合を示している。この場合、図４（ｃ−１）の場合と異なって、連続する４つの非クリア交差点ｃｒ１０〜ｃｒ１３と、次に連続する４つの非クリア交差点ｃｒ１４〜ｃｒ１７との間にはクリア交差は発生せず、後者のクリア交差点の後のｔ１０時にクリア交差点ｃｒ１８が発生する。この場合も、ｔ８時に上側マスク信号がハイになった後、ｔ１０時に図４（ａ）と同様のクリア交差が発生するため、その直前のｔ９時までハイに保つ。
【００２０】
尚、図には示さないが、復帰型の非クリア交差が連続する場合は、図４（ｂ−１）と同様に処理することで対処できる。
次に、図６を参照して、図４および図５に説明した判定原理を具体化した１実施形態のジッタ検出装置について説明する。図示のように、このジッタ検出装置は、図２の受信回路１に対応するものとして自動利得制御回路（ＡＧＣ）１０と等化器（ＥＱ）１２とを備え、ジッタ検出回路５に対応するものとして二値化回路５０，ラッチ５２およびジッタ判定回路５４とを備え、そして信号部分判定回路３に対応するものとしてマスク信号発生器３０を備えている。従来のジッタ検出装置との違いについて簡単に説明すると、本実施形態のジッタ検出装置において、ＡＧＣ１０、二値化回路５０およびジッタ判定回路５４を含む回路部分は、従来のＤＶＤと同様にスライスレベルを使用してジッタ検出を行う回路である。一方、等化器１２はHD  DVDからの再生信号に特有の等化処理を行うための回路であり、ラッチ５２は、信号部分を抽出するための回路であり、そしてマスク信号発生器３０は、その信号部分を判定するための信号を発生する回路であり、これら回路１２，５２，３０を備えている点が従来のジッタ検出装置と相違している。
【００２１】
詳細には、ＡＧＣ１０は、HD  DVDからの再生信号を自動利得制御することによって、再生信号のピークピーク値を一定に制御する。ＡＧＣ１０からの信号を受ける等化器１２は、HD  DVDからのこの再生信号を、ＰＲＭＬ信号処理技術における用いるＰＲ（パーシャルレスポンス）特性、すなわち規格で決められた特性に合わせるための処理を行う回路であり、当該分野ではよく知られた回路である。次に、等化器１２から出力された等化後の再生信号は、二値化回路５０によってゼロレベルをスライスレベルとして使用して二値化する。ラッチ５２は、この結果の二値化信号ＳＢを受け、そしてマスク信号発生器３０からのマスク信号ＭＳＴに応答してその二値化信号をラッチする。すなわち、ラッチ５２は、マスク信号が存在する間の二値化信号部分を無視することによって、マスク信号が存在しない間の信号部分を抽出する。次のジッタ判定回路５４は、この抽出された信号部分であるラッチ出力ＳＬから従来周知の方法でジッタ判定を行う。ジッタ判定の方法としては、二値化信号における各マーク／スペースの長さを計測してその変化を判定するパルス幅計測法、マーク／スペースのエッジと同期クロックのエッジとの位相差を計測して判定するデータ・ツー・クロック法などが知られている。
【００２２】
次に、図７も参照してマスク信号発生器３０の詳細について説明すると、この発生器３０は、上側しきい値交差検出部３００と、下側しきい値交差検出部３０２と、上側マスク発生部３０４と、下側マスク発生部３０６と、およびマスク発生部３０８とを備えている。詳細には、上側しきい値交差検出部３００は、ＡＧＣ１０の出力であるHD  DVD再生信号（図７（ｂ）参照）を受ける二値化回路３０００と上側しきい値設定回路３００２とを備え、一方、下側しきい値交差検出部３０２は、同じくＡＧＣ１０からの出力を受ける二値化回路３０２０と下側しきい値設定回路３０２２とを備えている。図４および図５で原理を説明したように、二値化回路３０００は、上側しきい値設定回路３００２から受ける上側しきい値ＴＨＵを使用してＡＧＣ出力に対し二値化処理を行い、そしてその結果を、図４で説明したように、上側しきい値交差信号ＣＴＨＵ（図７（ｃ））として出力する。この交差信号ＣＴＨＵは、上側しきい値をゼロレベル側から正に交差したときにハイとなり、そしてその反対方向に交差したときローとなる。一方、二値化回路３０２０は、下側しきい値設定回路３０２２から受ける下側しきい値ＴＨＬを使用してＡＧＣ出力に対し二値化処理を行い、そしてその結果を下側しきい値交差信号ＣＴＨＬ（図７（ｄ））として出力する。この交差信号ＣＴＨＬは、下側しきい値をゼロレベル側から負に交差したときにハイとなり、そしてその反対方向に交差したときローとなる。尚、本実施形態では、上側しきい値と下側しきい値は、最短の２Ｔ成分を少なくとも除外するように設定している。ただし、それより長い周期成分まで少なくとも除外するように設定したり、あるいはしきい値を動作中に可変させたりするようにできることは、上述した通りである。
【００２３】
次に、上側マスク発生部３０４は、遅延回路３０４０と、フリップフロップ（Ｆ／Ｆ）３０４２とおよびＯＲゲート３０４４とを備えており、同様に、下側マスク発生部３０６も、遅延回路３０６０と、フリップフロップ（Ｆ／Ｆ）３０６２とおよびＯＲゲート３０６４とを備えている。詳細には、遅延回路３０４０と３０６０とは、それぞれ受ける上側または下側のしきい値交差信号ＣＴＨＵ、ＣＴＨＬを受けて一定の時間遅延させ、そしてそれを遅延上側しきい値交差信号ＣＴＨＵＤ（図７（ｅ））あるいは遅延下側しきい値交差信号ＣＴＨＬＤ（図７（ｆ））として出力する。本実施形態では、少なくとも除去する周期成分は最短の２Ｔ成分であるため、これら遅延回路における遅延量は２Ｔである。この遅延量は、図４および図５で説明したように、クリア交差と非クリア交差とを識別するのに使用する。尚、２Ｔより長い成分まで除去する場合には、除去した最大の成分の周期に等しい長さの遅延を設定すれば良い。
【００２４】
次に、ＯＲゲート３０４４は、下側しきい値交差信号ＣＴＨＬを一方の入力に受け、他方の入力にはＦ／Ｆ３０６２からの下側マスク信号ＭＳＬを受け、そして出力に上側マスク禁止信号ＩＮＨＵ（図７（ｇ））を発生する。上側マスク禁止信号ＩＮＨＵは、図４からも分かるように、下側しきい値交差信号ＣＴＨＬがハイの状態にあること（これは、再生信号が下側しきい値ＴＨＬより負側にあることを示す）、または下側マスク信号ＭＳＬがハイのとき（これは、反対側である下側のマスクが発生中であることを示す）、上側マスク信号の発生を禁止する。したがって、上側マスク信号の発生が許可されるのは、下側しきい値交差信号ＣＴＨＬがローの状態にあり、かつ下側マスク信号ＭＳＬが発生されていないことである。同様に、ＯＲゲート３０６４は、上側しきい値交差信号ＣＴＨＵを一方の入力に受け、他方の入力にはＦ／Ｆ３０６２からの上側マスク信号ＭＳＵを受け、そして出力に下側マスク禁止信号ＩＮＨＬ（図７（ｈ））を発生する。上側マスク禁止信号ＩＮＨＵで説明したのと同様に、下側マスク禁止信号ＩＮＨＬは、上側しきい値交差信号ＣＴＨＵがハイの状態にあること（これは、再生信号が上側しきい値ＴＨＵより正側にあることを示す）、または上側マスク信号ＭＳＵがハイのとき（これは、反対側である上側のマスクが発生中であることを示す）、下側マスク信号の発生を禁止する。したがって、下側マスク信号の発生が許可されるのは、上側しきい値交差信号ＣＴＨＵがローの状態にあり、かつ上側マスク信号ＭＳＵが発生されていないことである。
【００２５】
次に、Ｆ／Ｆ３０４２は、データ（data）入力端子に上側マスク禁止信号ＩＮＨＵを受け、反転クロック端子に遅延上側しきい値交差信号ＣＴＨＵＤを受け、そして反転クロック端子の信号がハイに立ち上がったときのデータ入力に存在する信号の反転したものを、Ｑ＊（“＊”は反転を示す）端子に発生し、これが上側マスク信号ＭＳＵ（図７（ｉ））となる。すなわち、この上側マスク信号は、遅延上側しきい値交差信号ＣＴＨＵＤがローに立ち下がったときに、上側マスク禁止信号ＩＮＨＵがローのとき、上側マスク信号ＭＳＵを発生する。同様に、Ｆ／Ｆ３０６２は、データ（data）入力端子に下側マスク禁止信号ＩＮＨＬを受け、反転クロック端子に遅延下側しきい値交差信号ＣＴＨＬＤを受け、そしてＱ＊（“＊”は反転を示す）端子に下側マスク信号ＭＳＬ（図７（ｊ））を発生する。この下側マスク信号は、遅延下側しきい値交差信号ＣＴＨＬＤがローに立ち下がったときに、下側マスク禁止信号ＩＮＨＵがローのとき、下側マスク信号ＭＳＬを発生する。
【００２６】
次のマスク発生部３０８は、ＯＲゲート３０８０とタイミング調整回路３０８２とを備えている。ＯＲゲート３０８０は、上側マスク信号ＭＳＵと下側マスク信号ＭＳＬの２つの入力を受け、そして出力にそれらの論理和としてマスク信号ＭＳ（図７（ｋ））を発生する。このマスク信号は、これがマスクすべき再生信号に対しては２Ｔの時間だけ遅延している（遅延回路３０４０、３０６０による遅延）が、再生信号も等化回路で遅延しているので、二値化信号SBとマスク信号MSのタイミングを合わせるため、タイミング調整回路３０８２では、マスク信号ＭＳが二値化信号SBより進んでいる場合は遅延させることによって時間調整後のマスク信号ＭＳＴを発生する。これが、ラッチ５２に供給される。尚、マスク信号MSが二値化信号SBより遅れる場合は、二値化回路５０とラッチ回路５２との間に遅延回路を挿入するように変更すれば良い。
【００２７】
次に、図７を詳細に参照して、図６のマスク信号発生器３０部分の動作について詳しく説明する。図７のタイミング図に示したHD  DVD再生信号には、クリア交差１およびクリア交差２を含むクリア交差、復帰型非クリア交差１、非復帰型の非クリア交差、復帰型非クリア交差２が含まれており、これらについて説明する。先ず、負側から正側へのクリア交差１の場合、この場合は下側マスクを発生させる必要がない場合であるが、このとき、遅延下側しきい値交差信号ＣＴＨＬＤがｔ１１時点で立ち下がったとき、下側マスク禁止信号ＩＮＨＬがハイ（ｔ１１時での立ち下がり時に上側しきい値交差信号ＣＴＨＵがハイ（ただし、上側マスク信号ＭＳＵはロー））でマスク発生を禁止しているため、下側マスクはローのままである。クリア交差２の場合は、上側マスクを発生させるか否かであるが、同様に発生させない。次に、復帰型非クリア交差１の場合、このときは負側から開始するため、下側マスクＭＳＬを発生させる必要がある。このときは、遅延下側しきい値交差信号ＣＴＨＬＤがｔ１２時点で立ち下がったとき、下側マスク禁止信号ＩＮＨＬがロー（ｔ１２時でのその立ち下がり時に上側しきい値交差信号ＣＴＨＵがロー）でマスク発生を禁止していないため、下側マスクＭＳＬをハイにしてマスク信号を開始させる。次に、ｔ１３時点で遅延下側しきい値交差信号ＣＴＨＬＤが立ち下がったとき、下側マスク禁止信号ＩＮＨＬがハイ（ｔ１３時に上側しきい値交差信号ＣＴＨＵがハイ）でマスク発生を禁止しているため、下側マスクＭＳＬをローにしてマスク信号を終了させる。
【００２８】
次に、非復帰型の非クリア交差の場合、この場合は正側から開始するため、上側のマスクを発生させる必要がある。すなわち、ｔ１４時に遅延上側しきい値交差信号ＣＴＨＵＤが立ち下がったとき、上側マスク禁止信号ＩＮＨＵがロー（ｔ１４時でのその立ち下がり時に下側しきい値交差信号ＣＴＨＬがロー）でマスク発生を禁止していないため、上側マスクＭＳＵをハイにして開始させる。その後、遅延上側しきい値交差信号ＣＴＨＵＤの次の立ち下がりはｔ１６時点で発生するが、このとき、上側マスク禁止信号ＩＮＨＵがハイ（ｔ１６時に下側しきい値交差信号ＣＴＨＬがハイ）でマスク発生を禁止しているため、上側マスクＭＳＵをローにして上側マスクを終了させる。最後の復帰型の非クリア交差２は、最初に説明した復帰型非クリア交差１とは極性は逆であるが、同様の動作で上側マスクを発生させる。尚、ｔ１５時点では、遅延下側しきい値交差信号ＣＴＨＬＤが立ち下がる。このとき、下側マスク禁止信号ＩＮＨＬはハイとなる。理由は、ｔ１５時点において、上側しきい値交差信号ＣＴＨＵがハイであるからである。
【００２９】
次に、図８を参照して、非復帰型の非クリア交差が連続して発生する場合の動作について説明する。この場合、図７の非復帰型の非クリア交差の時点ｔ１４と同じ動作が、時点２０において発生し、上側マスクＭＳＵがハイになる。また、図８の例の場合も、図７の時点ｔ１５に相当する時点ｔ２１において、遅延下側しきい値交差信号ＣＴＨＬＤが立ち下がる。このとき、下側マスク禁止信号ＩＮＨＬがハイとなる。理由は、ｔ２１時において、上側しきい値交差信号ＣＴＨＵはローであるが、図７の例と異なって上側マスク信号ＭＳＵがハイとなっている。このため、下側マスクの発生が禁止され、下側マスクＭＳＬはローのままである。その後の動作は、図７の場合と同じである。このように、上側マスクと下側マスクのうちの一方が発生している間は、他方のマスクは不要であるため、その発生を阻止する。
【００３０】
以上のようにして発生させたマスク信号は、タイミング調整回路３０８２により二値化信号SBとタイミングを合わせたマスク信号ＭＳＴを発生する。このマスク信号ＭＳＴを受けるラッチ５２は、マスク信号がハイに立ち上がったときの二値化信号ＳＢの状態をラッチしてマスク信号がハイに留まる限りそのラッチした状態を出力するが、マスク信号がその後にローに立ち下がったとき、ラッチ動作を中止して入力に受けた信号をそのまま出力に発生する。これが、ラッチ出力ＳＬである。これにより、マスクが存在する間の再生信号を無視して、再生信号の一部分である信号部分を抽出することができる。
【００３１】
次に、図９のフローチャートを参照して、図６のマスク信号発生器３０をソフトウェアで実現する方法について説明する。尚、このフローチャートでは、図６の回路中に現れる信号に対応する変数は、説明の都合上、それら信号の名称と同じ記号を使用することにする。先ず、ステップ９００において、HD  DVD再生信号の１つのサンプルを取得してＡとする。尚、このフローは、HD  DVD再生信号の１つのサンプルを取得する度に実行する。
【００３２】
次に、ステップ９０２〜９０８で、上側しきい値変数ＴＨＵから上側しきい値交差変数ＣＴＨＵを発生するが、これは、図６の上側しきい値交差検出部３００の機能に対応している。すなわち、ステップ９０２で、上側しきい値としてある値を変数ＴＨＵにセットする。ステップ９０４で、再生信号サンプルＡがこの上側しきい値変数ＴＨＵ以上かどうか判定し、ＹＥＳのときステップ９０６で、上側しきい値交差変数ＣＴＨＵをハイすなわち“１”にセットする。ＮＯのときは、ステップ９０８でローすなわち“０”にセットする。
【００３３】
次に、ステップ９１０〜９１６で、下側しきい値変数ＴＨＬから下側しきい値交差変数ＣＴＨＬを発生するが、これは、図６の下側しきい値交差検出部３０２の機能に対応している。詳しくは、ステップ９１０で、下側しきい値としてある値を変数ＴＨＬにセットし、そしてステップ９１２で、サンプルＡがＴＨＬ以下かどうか判定し、ＹＥＳの場合、ステップ９１４で下側しきい値交差変数ＣＴＨＬを“１”にセットし、一方ＮＯのときステップ９１６で変数ＣＴＨＬを“０”にセットする。
【００３４】
次に、ステップ９１８〜９２６で、上側しきい値交差変数ＣＴＨＵから遅延上側しきい値交差変数ＣＴＨＵＤを設定するが、これは、図６の遅延回路３０４０の機能に対応している。すなわち、上側しきい値ＴＨＵが３Ｔ周期成分の振幅未満かどうか判定し、そしてＹＥＳの場合ステップ９２０で上側しきい値交差変数を２Ｔの期間遅延させる(例えば、再生信号に同期したクロックを使用し、２Ｔの期間遅延させる。そしてＮＯのとき、ステップ９２２でＴＨＵが（ｎ−１）Ｔの周期成分の振幅未満かどうか判定する。但し、ｎは、５より大きい整数である。このステップ９２２で、ＹＥＳのときステップ９２４で、上側しきい値交差変数を（ｎ−１）Ｔの大きさだけ遅延させ、そしてＮＯのとき、ステップ９２６でその変数をｎＴの大きさだけ遅延させて、その結果を遅延上側しきい値交差変数ＣＴＨＵＤとする。次に、ステップ９２８〜９３６では、ステップ９１８〜９２６と同様にして、下側しきい値交差変数ＣＴＨＬから遅延上側しきい値交差変数ＣＴＨＬＤを設定する（図６の遅延回路３０６０の機能に対応する）が、ステップ９１８〜９２６と同様にして行えるため、説明は省略する。ここで、ＨＤ  ＤＶＤ再生信号の場合、信号成分は、２Ｔ〜１１Ｔ，１３Ｔの周期を有し、そして最小振幅は２Ｔで、３Ｔ，４Ｔと振幅が大きくなり、そして５Ｔで最大振幅に達し、６Ｔ以降は１３Ｔでもその最大振幅のままで変わらない。しかし、５Ｔ，６Ｔ，７Ｔは最大振幅が同じ信号成分であるが、遅延量を変化させることによりそれらを区別できるため、２Ｔから５Ｔまで、２Ｔから６Ｔまで、２Ｔから７Ｔまでを区別して検出することができる。この点は、図６の遅延回路３０４０および３０６０において設定する遅延量についても同様である。また、図９のフローにおいて、上側と下側で類似のステップを重複して設けているのは、上側しきい値と下側しきい値が同じ絶対値を有する場合だけでなく、異なった絶対値を有する場合も考慮しているからである。例えば、シンメトリがずれた、すなわち正のピークと負のピークの中間値がゼロレベルとならない再生信号のジッタを検出したい場合である。
【００３５】
次に、ステップ９３８〜９４２で、上側マスクの設定を行うが、これは、図６のＯＲゲート３０４４とＦ／Ｆ３０４２の機能に対応している。すなわち、ステップ９３８で、遅延上側しきい値交差変数ＣＴＨＵＤがハイからローへの遷移時に、下側しきい値交差変数ＣＴＨＬが“０”でかつ下側マスク変数ＭＳＬが“０”かどうか判定し、そしてＹＥＳのとき、ステップ９４０で上側マスク変数ＭＳＵをハイにして、この時点でまだ上側マスクが発生していないときには上側マスクを開始させ、そしてすでに上側マスクを開始させた後であるときはその上側マスクを維持する。一方、ステップ９３８でＮＯのとき、ステップ９４２で上側マスク変数ＭＳＵをローにして、既に上側マスクが発生しているときには上側マスクを終了させる。
【００３６】
同様にして、ステップ９４４〜９４８で、下側マスクの設定を行うが、これは、図６のＯＲゲート３０６４とＦ／Ｆ３０６２の機能に対応している。尚、処理は、ステップ９３８〜９４２の場合と基本的に同じであり、異なっている点は、ステップ９４４において、遅延上側しきい値交差変数ＣＴＨＵＤのハイからローへの遷移時ではなく、遅延下側しきい値交差変数ＣＴＨＬＤのハイからローへの遷移時であり、そして、上側しきい値交差変数ＣＴＨＵが“０”でかつ上側マスク変数ＭＳＵが“０”の条件が満たされるかどうか判定する点である。このようにして、下側マスクＭＳＬの開始または終了が実現される。最後に、ステップ９５０で、上側マスク変数ＭＳＵと下側マスク変数ＭＳＬの論理和をとることによってマスク変数ＭＳを生成する。この処理は、図６のＯＲゲート３０８０に対応している。
【００３７】
以上に説明した動作を、ＨＤ  ＤＶＤ再生信号の各サンプル毎に繰り返すことにより、図６、図７および図８で説明した動作を実現することができる。
次に、図１０を参照して、図２に示したジッタ検出回路の別の実施形態について説明する。図６では、ラッチ回路５２を二値化回路５０の後に配置しているが、図１０の実施形態では、ホールド回路５６を二値化回路５０ａの前に置き、ジッタ判定回路５４ａが二値化回路５０ａからの出力を受けるように構成している。このとき、図６のラッチ回路５２の代わりに、図１０では、ホールド回路５６が図６の等化器１２の出力とマスク信号発生器３０からのマスク信号ＭＳＴを受けるように構成する。このとき、ホールド回路５６は、マスク信号ＭＳＴがハイになったときの等化器出力をホールドして出力に発生し、そしてマスク信号ＭＳＴがローになったとき、等化器出力をそのまま出力に発生する。この構成によっても、ＨＤ  ＤＶＤ再生信号の１部分を抽出することができる。二値化回路５０ａとジッタ判定回路５４ａは、図６のものと同じ構成のもので良い。
【００３８】
次に、図１１を参照して、図２に示したジッタ検出回路のさらに別の実施形態について説明する。この実施形態が、図６の実施形態のジッタ検出回路と異なっているのは、マスク信号を受けるのが、ラッチではなくジッタ判定回路５４ｂである点である。ジッタ判定回路５４ｂは、このマスク信号を受けることにより、ＨＤ  ＤＶＤ再生信号の一部分を抽出するのではなく、ジッタ判定動作を制御して、実質上、再生信号の一部分のみに基づいてジッタ検出を行う。さらに、この図１１の実施形態は、図１０に示したジッタ検出回路にも同様に適用して、ホールド回路５６ではなくジッタ判定回路５４ａがマスク信号を受けるように構成することも可能である。
【００３９】
次に、図１２を参照して、上述した本発明の実施形態のジッタ検出装置を備えたジッタ測定装置について説明する。このジッタ測定装置は、ジッタ検出装置からのジッタ判定出力を受ける表示／出力部を備えている。ジッタ検出装置からの出力は、表示／出力部における表示形態あるいは出力形態に応じた形態をとるようにすることができる。例えば、ジッタ判定出力は、各マーク／スペース長の幅を統計処理する形態としたり、あるいは前述のようにマーク／スペースのエッジとクロックのエッジとの差を統計処理する形態とすることができる。表示／出力部は、受けたジッタ判定出力をディスプレイあるいはプリンタなどの出力装置に対し、ユーザの選択に応じて出力する。
【００４０】
最後に、図１３を参照して、上述の本発明の実施形態のジッタ検出装置を備えた電子装置について説明する。この電子装置として、光ピックアップ、光ディスク・ドライバ、光ディスク・プレーヤ等の光ディスク関連の装置などが含まれる。また、ＰＲＭＬ信号処理技術を利用する装置であれば、通信装置などのその他の装置も含まれる。このような電子装置に、上述の本発明の実施形態のジッタ検出装置を設けることにより、電子装置内で、ジッタの影響を除去する等のためのジッタ処理を、より高速であるいは簡単な回路構成で実現することができる。
【００４１】
以上、本発明の幾つかの実施形態について詳細に説明した。しかし、上記実施形態のジッタ検出装置は、ＨＤ  ＤＶＤのような記録媒体だけでなく、ＨＤ  ＤＶＤと同様の信号形態を利用する他の情報記録媒体、例えば磁気ディスクからの信号のジッタ検出にも同様に適用することができる。また、上述したように、上記実施形態のジッタ検出装置は、ＰＲＭＬ手法が使われる他の分野、例えば通信回線やネットワーク等の通信媒体からの信号にも適用することができる。
【図面の簡単な説明】
【００４２】
【図１】(ａ)はＨＤ  ＤＶＤからの再生信号の波形例を示し、（ｂ）はＤＶＤからの再生信号の波形例を示す図。
【図２】図２は、本発明の１実施形態によるジッタ検出装置の構成を示すブロック図。
【図３】図３は、ＨＤ  ＤＶＤ再生信号に含まれる種々の信号成分と、これに対するスライスレベル、上側しきい値および下側しきい値との関係について示す図。
【図４】図４は、ＨＤ  ＤＶＤ再生信号のうちのジッタ検出に使用する信号部分を判定する手法を原理的に説明するための図であって、（ａ）はクリア交差の場合、（ｂ−１）および（ｂ−２）は復帰型の非クリア交差の場合、（ｃ−１）および（ｃ−２）は非復帰型の非クリア交差の場合を示す。
【図５】図５は、図４と同様の図であって、（ｄ）は非復帰型の非クリア交差が連続する場合を示す。
【図６】図は、図４および図５に説明した判定原理を具体化した１実施形態のジッタ検出装置を示すブロック図。
【図７】図７は、図６の装置内の各部の信号波形を示すタイミング図。
【図８】図８は、図５に示した非復帰型の非クリア交差が連続して発生する場合における、図６の装置内の各部の信号波形を示すタイミング図。
【図９】図９は、図６のマスク信号発生器３０が実現する機能と同じ機能を実現するプログラムのフローチャート。
【図１０】図１０は、図２に示したジッタ検出装置内のジッタ検出回路の別の実施形態を示すブロック図。
【図１１】図１１は、図２に示したジッタ検出装置内のジッタ検出回路のさらに別の実施形態を示すブロック図。
【図１２】図１２は、本発明の実施形態のジッタ検出装置を備えたジッタ測定装置を示す図。
【図１３】図１３は、本発明の実施形態のジッタ検出装置を備えた電子装置を示す図。
【符号の説明】
【００４３】
１  受信回路
３  信号部分判定回路
５  ジッタ検出回路
３０  マスク信号発生器
３００  上側しきい値交差検出部
３０２  下側しきい値交差検出部
３０４  上側マスク発生部
３０６  下側マスク発生部
３０８  マスク発生部
ｃ１〜ｃ１３  信号成分
ｃｒ１，ｃｒ８  クリア交差点
ｃｒ２〜ｃｒ７  非クリア交差点
ｃｒ１０〜ｃｒ１７  非クリア交差点
ｃｒ１８  クリア交差点
【図１】
2008008811.tif 000003
【図２】
2008008811.tif 000004
【図３】
2008008811.tif 000005
【図４】
2008008811.tif 000006
【図５】
2008008811.tif 000007
【図６】
2008008811.tif 000008
【図７】
2008008811.tif 000009
【図８】
2008008811.tif 000010
【図９】
2008008811.tif 000011
【図１０】
2008008811.tif 000012
【図１１】
2008008811.tif 000013
【図１２】
2008008811.tif 000014
【図１３】
2008008811.tif 000015